(57)【特許請求の範囲】
【請求項１】
金属パイプ製のさお部本体の上部に被せられて把持部を構成する合成樹脂製の筒状のカバーと、
前記さお部本体の上端部に、前記カバーの上部を挟み込んで装着された合成樹脂製またはゴム製の上キャップとを具備し、
前記上キャップ、カバーおよびさお部本体の側面を貫通する貫通孔が形成され、該貫通孔に締結具を通して装着してこれらさお部本体、カバー、上キャップを一体化してなる竹馬さお部の上部構造。
【請求項２】
前記締結具が、リベットまたはビスまたは先端に先割れ状のかぎ部を有するピンで構成されている請求項１記載の竹馬さお部の上部構造。
【請求項３】
前記カバーおよび上キャップが非塩化ビニル材料で構成されている請求項１または２記載の竹馬さお部の上部構造。
【請求項４】
前記カバーが蛇腹状に成形されている請求項１から３のいずれかに記載の竹馬さお部の上部構造の製造方法。
【請求項５】
金属パイプ製のさお部本体の上部に合成樹脂製の筒状のカバーを被せて把持部を構成し、
前記さお部本体の上端部に、前記カバーの上部を挟み込んで合成樹脂製またはゴム製の上キャップを装着し、
前記上キャップ、カバーおよびさお部本体の側面を貫通して貫通孔を形成し、該貫通孔に締結具を通して装着してこれらさお部本体、カバー、上キャップを一体化してなる竹馬さお部の上部構造の製造方法。
【発明の詳細な説明】
【０００１】
【発明の属する技術分野】
この発明は、竹馬のさお部の上部の構造およびその製造方法に関し、カバーおよび上キャップに非塩化ビニル材料を使用できるようにするとともに、上キャップやカバーがさお部本体から抜けるのを防止したものである。
【０００２】
【従来の技術】
工業的に量産される竹馬は、さお部と該さお部に昇降可能に取付けられた足台で構成される。さお部は一般に、金属パイプでさお部本体を構成し、該さお部本体の上部に合成樹脂製フィルムで被覆した把持部を構成し、さお部本体の上端部、下端部に上キャップ、下キャップをそれぞれ装着して構成される。
【０００３】
従来の竹馬のさお部の上部構造として、本出願人の実用新案登録に係る実公昭６２−５１９０号公報に記載されたものがあった。これは図２に示すように、金属パイプ製のさお部本体１０の上部にポリプロピレン製、ポリエチレン製等の蛇腹パイプ１２を被せ、その上に塩化ビニル製の色付きカバー１４を被せ、該カバー１４を熱収縮させて蛇腹パイプ１２に密着させ、表面に蛇腹が形成された把持部１６を形成し、さお部本体１０の上端部付近の外周面に接着剤１８を塗布して塩化ビニル製の上キャップ２０をはめ込み、上キャップ２０とカバー１４を接着剤１８で接着したものである。
【０００４】
【発明が解決しようとする課題】
図２の従来構造においては、カバー１４、蛇腹パイプ１２、上キャップ２０がさお部本体１０から抜けないようにするためには、カバー１４の下部がさお部本体１０の表面に強固に密着している必要があり、このためカバー１４は熱収縮性の塩化ビニルフィルムで構成されている。また、上キャップ２０は接着剤１８でカバー１４に接着できるように、カバー１４と同じ塩化ビニルで構成されている。
【０００５】
塩化ビニルは焼却により毒性の強いダイオキシンを発生させるため、他の材料に代替することが望まれている。しかし、塩化ビニル以外の材料で良好に熱収縮する材料が存在しないため、図２の構造を用いる限り、カバー１４と上キャップ２０には塩化ビニルを使用せざるをえない。また、図２の構造においては、上キャップ２０と、カバー１４との接着は完全なものではなく、上キャップ２０が抜けることがあった。また、カバー１４とさお部本体１０との密着状態も完全なものではなく、カバー１４がさお部本体１０に対して回転したり、さお部本体１０から抜けることがあった。
【０００６】
この発明は、前記従来の技術における問題点を解決して、カバーおよび上キャップに非塩化ビニル材料を使用できるようにするとともに、上キャップやカバーがさお部本体から抜けるのを防止した竹馬のさお部の上部の構造およびその製造方法を提供しようとするものである。
【０００７】
【課題を解決するための手段】
この発明の竹馬さお部の上部構造は、金属パイプ製のさお部本体の上部に被せられて把持部を構成する合成樹脂製の筒状のカバーと、前記さお部本体の上端部に、前記カバーの上部を挟み込んで装着された合成樹脂製またはゴム製の上キャップとを具備し、前記上キャップ、カバーおよびさお部本体の側面を貫通する貫通孔が形成され、該貫通孔に締結具を通して装着してこれらさお部本体、カバー、上キャップを一体化したものである。これによれば、上キャップ、カバーおよびさお部本体の側面を貫通する貫通孔を形成して、該貫通孔に締結具を通して装着してこれらを一体化したので、カバーをさお部本体に強固に密着させたり、上キャップとカバーを接着剤で接着させる必要がなくなる。したがって、カバーおよび上キャップに塩化ビニル以外の材料を使用することができる。また、上キャップやカバーがさお部本体から抜けたりカバーがさお部本体に対して回転するのを確実に防止することができる。
【０００８】
この発明の竹馬さお部の上部構造の製造方法は、金属パイプ製のさお部本体の上部に合成樹脂製の筒状のカバーを被せて把持部を構成し、前記さお部本体の上端部に、前記カバーの上部を挟み込んで合成樹脂製またはゴム製の上キャップを装着し、前記上キャップ、カバーおよびさお部本体の側面を貫通して貫通孔を形成し、該貫通孔に締結具を通して装着してこれらさお部本体、カバー、上キャップを一体化したものである。この製造方法によれば、この発明の竹馬さお部の上部構造を製造することができる。
【０００９】
【発明の実施の形態】
この発明の実施の形態を説明する。図１はこの発明の竹馬のさお部の上部構造を断面図で示したものである。円筒状金属パイプ製のさお部本体１０の上部には、カバー２２が被せられている。カバー２２は顔料を配合して色付けされた硬質ポリエチレン、軟質ポリエチレン等で構成され、ブロー成形により蛇腹２２ａを有する円筒状に形成されて、把持部１６を構成している。カバー２２の上端部は閉じて、さお部本体の上端部に係止されている。カバー２２の内径はさお部本体１０の外径よりもわずかに大きく形成され、製造時にカバー２２内にさお部本体１０を容易に差し込めるようにされている。
【００１０】
さお部本体１０の上端部には、上キャップ２４が被せられている。上キャップ２４はポリプロピレン、ポリエチレン、ハイインパクトスチロール、ＡＢＳ等で円筒状に形成され、上端部は閉じている。上キャップ２４の内径はカバー２２の外径と同じかわずかに小さ目に作られ、カバー２２にがたつきなく被せられるようにされている。
【００１１】
さお部本体１０、カバー２２、上キャップ２４には、これらの側面を貫通する貫通孔２６が形成され、該貫通孔２６にリベット２８が装着されて、さお部本体１０、カバー２２、上キャップ２４が一体化されている。これにより、カバー２２および上キャップ２４はさお部本体１０から抜けなくなり、また回転しなくなる。
【００１２】
図１のさお部の上部構造の製造工程を図３を参照して説明する。
（１）  さお部本体１０の上部にカバー２２を被せ、さらにその上に上キャップ２４をはめる。
【００１３】
（２）  ボール盤等を用いて、上キャップ２４の側面からカバー２２およびさお部本体１０を貫通する貫通孔２６を形成する。
【００１４】
（３）  貫通孔２６に市販のリベット２８を差し込む。リベット２８は、アルミ製の筒部３０ａとフランジ３０ｂが一体に構成され、スチール製のシャフト３２ａが筒部３０ａ内に通されている。シャフト３２ａの末端部には、該シャフト３２ａと一体に大径部３２ｂが構成されている。
【００１５】
（４）  ハンドリベッターを用いて、フランジ３０ｂを貫通孔２６の開口端面に押し当ててシャフト３２ａを強く引く。これにより、大径部３２ｂが筒部３０ａを押し広げながら筒部３０ａの中に入っていく。シャフト３２ａの移動が係止されて、さらにシャフト３２ａを強く引くことにより、シャフト３２ａが大径部３２ｂとの境界部で切断されて引き抜かれ、全行程が完了する。以上により、さお部本体１０、カバー２２および上キャップ２４は一体化される。
【００１６】
なお、リベットに代えて図４に示すように、貫通孔２６内のさお部本体１０の内壁面にめねじ２６ａを形成して、ビス３４をねじ込んでさお部本体１０、カバー２２および上キャップ２４を一体化することもできる。また、図５に示すように、貫通孔２６に先端に先割れ状のかぎ部３６ａを有する合成樹脂（ナイロン、ポリプロピレン、ポリアセタール等）製または金属製のピン３６（ノックピン等と称される。）を打ち込んで、さお部本体１０、カバー２２および上キャップ２４を一体化することもできる。また、上記実施の形態では、さお部本体１０、カバー２２、上キャップ２４を組み付けてから貫通孔を一度に形成したが、これに代えて、予めさお部本体１０、カバー２２、上キャップ２４に個別に貫通孔を形成しておき、これらを組み付ける際に貫通孔を連通させることもできる。
【００１７】
また、この発明では、カバーに蛇腹が形成されていることは必須ではない。また、この発明は、上キャップ２４、カバー２２を非塩化ビニル材料で構成することを可能にするものではあるが、塩化ビニルで構成することを妨げるものではない。
【図面の簡単な説明】
【図１】  この発明の竹馬のさお部の上部構造の実施の形態を示す断面図である。
【図２】  従来構造を示す断面図である。
【図３】  図１の構造の製造工程を示す拡大断面図である。
【図４】  この発明の竹馬のさお部の上部構造の他の実施の形態を示す断面図である。
【図５】  この発明の竹馬のさお部の上部構造の他の実施の形態を示す断面図である。
【符号の説明】
１０  さお部本体
１６  把持部
２２  カバー
２２ａ  蛇腹
２４  上キャップ
２６  貫通孔
２８  リベット（締結具）
３４  ビス（締結具）
３６  ピン（締結具）
【図１】
0004104226.tif 000002
【図２】
0004104226.tif 000003
【図３】
0004104226.tif 000004
【図４】
0004104226.tif 000005
【図５】
0004104226.tif 000006